(57)【要約】【課題】  ターゲット位置を求める方法を提供する。【解決手段】  ターゲット位置を求める方法は、第１のデバイスにおいて、ターゲット位置に対する第１の要求を第２のデバイスから受信するステップを含む。第１の要求は、ターゲット識別子と、このターゲット位置を求める時刻と、を含む。この方法は、更に、第１のデバイスにおいて、複数の追跡方法から追跡方法を選択するステップと、第１のデバイスから第２のデバイスとは異なる第３のデバイスに第２の要求を送信するステップと、を含む。第２の要求は、ターゲット識別子、時刻、及び選択された追跡方法を識別する方法識別子を含む。この方法は、更に、第１のデバイスにおいて、時刻におけるターゲット位置に関連したターゲット情報を第３のデバイスから受信するステップと、第１のデバイスから第２のデバイスに受信したターゲット情報を送信するステップと、を含む。【選択図】  図１
2010055588.tif 000002
【特許請求の範囲】
【請求項１】
ユーザ・デバイスであって、
ターゲット位置に対する第１の要求であって、ターゲット識別子と前記ターゲット位置を求める時刻とを含む第１の要求を第２のデバイスに送信するように構成され、かつ、前記第２のデバイスから前記時刻における前記ターゲット位置に関連したターゲット情報を受信するように構成された、第１の通信インタフェースと、
第１のプロセッサと、
前記第１のプロセッサによって実行されると前記ユーザ・デバイスに前記受信したターゲット情報をユーザに提示させる第１のコンピュータ読み取り可能命令を含む、第１のコンピュータ読み取り可能媒体と、
を備えるユーザ・デバイスと、
前記第２のデバイスが、
前記ユーザ・デバイスから前記第１の要求を受信し、第２の要求を第３のデバイスに送信し、前記第３のデバイスから前記ターゲット情報を受信し、前記ターゲット情報を前記ユーザ・デバイスに送信するように構成された第２の通信インタフェースと、
第２のプロセッサと、
前記第２のプロセッサによって実行されると前記第２のデバイスに複数の追跡方法から１の追跡方法を選択させる第２のコンピュータ読み取り可能命令を含む、第２のコンピュータ読み取り可能媒体と、
を備え、前記第２の要求が、前記ターゲット識別子、前記時刻、及び前記選択された追跡方法を識別する方法識別子を含む、システム。
【請求項２】
前記複数の追跡方法が、レーダー信号、ビデオ信号、カラー・マッチング信号、紫外線信号、光信号、及び赤外線信号の少なくとも１つの処理に関連付けられた、請求項１に記載のシステム。
【請求項３】
前記第３のデバイスを更に備え、前記第３のデバイスが、
前記第２のデバイスから前記第２の要求を受信するように構成された第３の通信インタフェースと、
第３のプロセッサと、
前記第３のプロセッサによって実行されると、前記第３のデバイスに前記方法識別子に基づいてターゲット追跡アプリケーションを識別させ、前記ターゲット識別子に基づいてターゲット・データを識別させ、前記識別したターゲット・データを用いて前記識別したターゲット追跡アプリケーションを実行させて前記第２の要求に含まれた前記時刻における前記ターゲット情報を求め、前記ターゲット情報を前記第２のデバイスに送信させる第３のコンピュータ読み取り可能命令を含む第３のコンピュータ読み取り可能媒体と、
を備える、請求項１に記載のシステム。
【請求項４】
デバイスであって、
ターゲット位置に対する第１の要求を第２のデバイスから受信するように構成された通信インタフェースであって、前記第１の要求がターゲット識別子と前記ターゲット位置を求める時刻とを含む、通信インタフェースと、
プロセッサと、
コンピュータ読み取り可能命令を含むコンピュータ読み取り可能媒体であって、前記コンピュータ読み取り可能命令が、前記プロセッサによって実行されると、前記デバイスに、
複数の追跡方法から追跡方法を選択させ、
前記ターゲット識別子、前記時刻、及び前記選択された追跡方法を識別する方法識別子を含む第２の要求を、前記第２のデバイスとは異なる第３のデバイスに送信させ、
前記第３のデバイスから前記時刻における前記ターゲット位置に関連したターゲット情報を受信させ、
前記受信したターゲット情報を前記第２のデバイスに送信させる、コンピュータ読み取り可能媒体と、
を備える、デバイス。
【請求項５】
前記複数の追跡方法が、レーダー信号、ビデオ信号、カラー・マッチング信号、紫外線信号、光信号、及び赤外線信号の少なくとも１つの処理に関連付けられた、請求項４に記載のデバイス。
【請求項６】
前記受信器が、更に、ターゲットに関連したセンサ・データをセンサから受信するように構成されている、請求項４に記載のデバイス。
【請求項７】
コンピュータ読み取り可能命令を含むコンピュータ読み取り可能媒体であって、前記コンピュータ読み取り可能命令が、プロセッサによって実行されると、デバイスに、
ターゲット位置に対する第１の要求を第２のデバイスから受信させ、前記第１の要求がターゲット識別子と前記ターゲット位置を求める時刻とを含み、
複数の追跡方法から追跡方法を選択させ、
前記ターゲット識別子、前記時刻、及び前記選択された追跡方法を識別する方法識別子を含む第２の要求を、前記第２のデバイスとは異なる第３のデバイスに送信させ、
前記第３のデバイスから前記時刻における前記ターゲット位置に関連したターゲット情報を受信させ、
前記受信したターゲット情報を前記第２のデバイスに送信させる、コンピュータ読み取り可能媒体。
【請求項８】
前記複数の追跡方法が、レーダー信号、ビデオ信号、カラー・マッチング信号、紫外線信号、光信号、及び赤外線信号の少なくとも１つの処理に関連付けられた、請求項７に記載のコンピュータ読み取り可能媒体。
【請求項９】
ターゲット位置を求める方法であって、
第１のデバイスにおいて、ターゲット位置に対する第１の要求を第２のデバイスから受信するステップであって、前記第１の要求がターゲット識別子と前記ターゲット位置を求める時刻とを含む、ステップと、
前記第１のデバイスにおいて、複数の追跡方法から追跡方法を選択するステップと、
前記第１のデバイスから前記第２のデバイスとは異なる第３のデバイスに第２の要求を送信するステップであって、前記第２の要求が、前記ターゲット識別子、前記時刻、及び前記選択された追跡方法を識別する方法識別子を含む、ステップと、
前記第１のデバイスにおいて、前記時刻における前記ターゲット位置に関連したターゲット情報を前記第３のデバイスから受信するステップと、
前記第１のデバイスから前記第２のデバイスに前記受信したターゲット情報を送信するステップと、
を備える、方法。
【請求項１０】
前記複数の追跡方法が、レーダー信号、ビデオ信号、カラー・マッチング信号、紫外線信号、光信号、及び赤外線信号の少なくとも１つの処理に関連付けられた、請求項９に記載の方法。
【発明の詳細な説明】
【発明の概要】
【０００１】
[0001]  物体は、様々な検知及び通信の技術を用いて追跡することができる。例えば、全地球測位システム（ＧＰＳ：global positioning system）を用いて、レーダー、ビデオ、カラー・マッチング、紫外線、光、及び赤外線信号を用いて、無線周波数識別（ＲＦＩＤ：radio frequency identifier）システム及びトランスポンダー等を用いて、物体を追跡することができる。一例として、トランスポンダー・システムを用いて車両を追跡することができる。別の例として、ＲＦＩＤシステムを用いて小売物体を追跡することができる。更に、衛星は、宇宙からリアル・タイムで物体を追跡することができる。
【０００２】
[0002]  本開示の前述及び他の特徴は、添付図面と関連付けた以下の説明及び添付の特許請求の範囲から、より充分に明らかとなろう。これらの図面は、この開示に従ったいくつかの実施形態を示すのみであり、従って、その範囲を限定するとは見なされないことを理解した上で、添付図面を用いて本開示を更に具体的かつ詳細に記載する。
【図面の簡単な説明】
【０００３】
【図１】[0003]  図１は例示的な実施形態に従った物体追跡システムのブロック図である。
【図２】[0004]  図２は例示的な実施形態に従った、図１の物体追跡システムのユーザ・コンピューティング・デバイスのブロック図である。
【図３】[0005]  図３は例示的な実施形態に従った、図１の物体追跡システムのミドルウェア・システムのブロック図である。
【図４】[0006]  図４は例示的な実施形態に従った、図１の物体追跡システムのクラウド・コンピューティング・システムのブロック図である。
【図５】[0007]  図５は例示的な実施形態に従った、図４のクラウド・コンピューティング・システムが実行する動作を示すフロー図である。
【図６】[0008]  図６は例示的な実施形態に従った、図２のユーザ・コンピューティング・デバイスが実行する動作を示すフロー図である。
【図７】[0009]  図７は例示的な実施形態に従った、図３のミドルウェア・システムが実行する動作を示すフロー図である。
【発明を実施するための形態】
【０００４】
[0010]  以下の詳細な説明において、その一部を形成する添付図面を参照する。図面において、状況に応じて求められる例外を除けば、同様の記号は通常、同様の構成要素を識別する。詳細な説明、図面、及び特許請求の範囲において記載される例示的な実施形態は、限定を意図したものではない。ここに提示する主題の精神又は範囲から逸脱することなく、他の実施形態も利用することができ、他の変更も行うことができる。本開示の態様は、ここに一般的に記載するように、更に図面に示すように、多種多様な異なる構成において配置し、置換し、組み合わせ、及び設計することができ、それらの構成は全て明示的に検討され、この開示の一部を成すことは容易に理解されよう。
【０００５】
[0011]  様々な検知及び通信技術を用いて物体を追跡するための例示的なシステム、方法、デバイス等を記載する。図１を参照すると、例示的な実施形態に従った物体追跡システム１００のブロック図が示されている。物体追跡システム１００は、１つ以上のユーザ・コンピューティング・デバイス１０２ａ、１０２ｂ、．．．、１０２ｎ、ミドルウェア・システム１０４、クラウド・コンピューティング・システム１０６、１つ以上の衛星１１６ａ、１１６ｂ、．．．、１１６ｎ、及び１つ以上のセンサ１２０ａ、．．．、１２０ｎを含むことができる。１つ以上のユーザ・コンピューティング・デバイス１０２ａ、１０２ｂ、．．．、１０２ｎは、ラップトップ、デスクトップ、サーバ、一体型メッセージング・デバイス、パーソナル・デジタル・アシスタント、携帯電話、ｉＰｏｄ（商標）等を含むいずれかのフォーム・ファクタのコンピュータとすれば良い。１つ以上のユーザ・コンピューティング・デバイス１０２ａ、１０２ｂ、．．．、１０２ｎは、同一及び／又は異なるユーザに関連付けることができる。１つ以上の衛星１１６ａ、１１６ｂ、．．．、１１６ｎの各々は、衛星に搭載された１つ以上のセンサを用いて、１つ以上のターゲット１１８ａ、１１８ｂ、．．．、１１８ｎを追跡することができる。これに加えて、又は代替的に、１つ以上のセンサ１２０ａ、．．．、１２０ｎのセンサ（複数のセンサ）が１つ以上のターゲット１１８ａ、１１８ｂ、．．．、１１８ｎを検出し追跡することも可能である。
【０００６】
[0012]  例えば、図１を参照して示すように、衛星１１６ｎは、ターゲット位置、衛星１１６ｎに搭載されたセンサ（複数のセンサ）の有効範囲の制約、衛星１１６ｎに搭載されたセンサ（複数のセンサ）が提供する解像度、センサの種類を考慮したターゲットの特徴等に基づいて、１つ以上のターゲット１１８ａ、１１８ｂ、．．．１１８ｎを追跡することができる。１つ以上のユーザ・コンピューティング・デバイス１０２ａ、１０２ｂ、．．．、１０２ｎ、ミドルウェア・システム１０４、クラウド・コンピューティング・システム１０６、１つ以上の衛星１１６ａ、１１６ｂ、．．．、１１６ｎ、及び１つ以上のセンサ１２０ａ、．．．、１２０ｎに関連付けられたデバイスは、ネットワーク１０８を用いて通信を行うことができる。ネットワーク１０８は、セル式ネットワーク、ピア・ツー・ピア・ネットワーク、インターネット、ローカル・エリア・ネットワーク、ワイド・エリア・ネットワーク、Ｗｉ−Ｆｉネットワーク、Bluetooth（商標）ネットワーク等を含む１つ以上の種類のネットワークを含むことができる。
【０００７】
[0013]  クラウド・コンピューティング・システム１０６は、１つ以上のサーバ１１０及び１つ以上のデータベース１１４を含むことができる。クラウド・コンピューティング・システムとは、ネットワークを介してアクセス可能であり、ユーザにオン・デマンドのコンピューティング・サービスを提供する１つ以上の計算リソースを指す。１つ以上のサーバ１１０は、１つ以上のコンピューティング・デバイス１１２ａ、１１２ｂ、．．．、１１２ｎを含むことができ、これらはいずれかのフォーム・ファクタのコンピュータとすれば良い。１つ以上のデータベース１１４は、第１のデータベース１１４ａ、．．．及びｎ番目のデータベース１１４ｎを含むことができる。１つ以上のデータベース１１４は、１つ以上のサーバ１１０の１つ以上に収容することができ、あるいは、１つ以上のサーバ１１０が有線もしくは無線接続を介して直接又はネットワーク１０８を介してアクセス可能である別個のコンピューティング・デバイスに収容することができる。１つ以上のデータベース１１４は、複数の層に編成することができ、限定されることなく様々なデータベース技術を用いて作り出すことができる。クラウド・コンピューティング・システム１０６の構成要素は、単一のコンピューティング・デバイスにおいて、又は単一の位置、単一の設備における複数のコンピューティング・デバイスにおいて実施することができ、及び／又は相互にリモートとすることができる。
【０００８】
[0014]  図２を参照すると、例示的な実施形態に従った物体追跡システム１００のユーザ・コンピューティング・デバイス１０２のブロック図が示されている。ユーザ・コンピューティング・デバイス１０２は、入力インタフェース２００、出力インタフェース２０２、通信インタフェース２０４、コンピュータ読み取り可能媒体２０６、プロセッサ２０８、及びターゲット・ロケータ・アプリケーション２１０を含むことができる。限定されることなく、ユーザ・コンピューティング・デバイス１０２に、異なる追加の構成要素も組み込むことができる。ターゲット・ロケータ・アプリケーション２１０は、ユーザによって選択可能かつ制御可能な機能を有するグラフィカル・ユーザ・インタフェースを提供する。ターゲット・ロケータ・アプリケーション２１０は、ブラウザ・アプリケーション又は他のユーザ・インタフェース・ベースのアプリケーションを含むことができ、これがミドルウェア・システム１０４と情報のやり取りをして、利用可能なターゲットをユーザに提示し、この利用可能なターゲットからユーザが選択することを可能とし、及び／又は選択されたターゲットの位置についての要求を送出する。
【０００９】
[0015]  入力インタフェース２００は、当業者には既知のように、ユーザ・コンピューティング・デバイス１０２に入力されるユーザからの情報を受信するためのインタフェースを提供する。入力インタフェース２００は、キーボード、ペン及びタッチ・スクリーン、マウス、トラック・ボール、タッチ・スクリーン、キーパッド、１つ以上のボタン等を含むがこれらには限定されない様々な入力技術と相互作用して、ユーザがユーザ・コンピューティング・デバイス１０２に情報を入力することを可能とし、又は、ターゲット・ロケータ・アプリケーション２１０の制御のもとにディスプレイを用いて表示されるユーザ・インタフェースに提示される選択肢を選ぶのを可能とすることができる。入力インタフェース１０４は、入力及び出力インタフェースの双方を提供することも可能である。例えば、タッチ・スクリーンによって、ユーザ入力及びユーザに対する出力の提示の双方を可能とする。ユーザ・コンピューティング・デバイス１０２は、同一又は異なるインタフェース技術を用いる１つ以上の入力インタフェースを有する場合がある。
【００１０】
[0016]  出力インタフェース２０２は、ユーザ・コンピューティング・デバイス１０２のユーザによる検討用の情報を出力するためのインタフェースを提供する。例えば、出力インタフェース２０２は、ディスプレイ、プリンタ、スピーカ等に対するインタフェースを含むことができる。ディスプレイは、薄膜トランジスタ・ディスプレイ、発光ダイオード・ディスプレイ、液晶ディスプレイ等を含むがこれらには限定されない様々なディスプレイのいずれかとすれば良い。プリンタは、インク・ジェット・プリンタ、レーザ・プリンタ等を含むがこれらには限定されない様々なプリンタのいずれかとすれば良い。ユーザ・コンピューティング・デバイス１０２は、同一又は異なるインタフェース技術を用いる１つ以上の出力インタフェースを有する場合がある。
【００１１】
[0017]  通信インタフェース２０４は、様々なプロトコル、伝送技術、及び媒体を用いてデバイス間でデータを送受信するためのインタフェースを提供する。通信インタフェースは、有線又は無線とすることができる様々な伝送媒体を用いた通信をサポートすることができる。ユーザ・コンピューティング・デバイス１０２は、同一又は異なるプロトコル、伝送技術、及び媒体を用いる１つ以上の通信インタフェースを有する場合がある。
【００１２】
[0018]  コンピュータ読み取り可能媒体２０６は、プロセッサ２０８によってアクセス可能であるように情報を電子的に保持する場所又は記憶する領域である。コンピュータ読み取り可能媒体２０６は、いずれかのタイプのランダム・アクセス・メモリ（ＲＡＭ）、いずれかのタイプのリード・オンリ・メモリ（ＲＯＭ）、いずれかのタイプのフラッシュ・メモリ等を含むがこれらには限定されない。例えば、磁気記憶デバイス（例えばハード・ディスク、フロッピ・ディスク、磁気ストリップ）、光ディスク（例えばコンパクト・ディスク（ＣＤ）、デジタル多用途ディスク（ＤＶＤ））スマート・カード、フラッシュ・メモリ・デバイス等である。ユーザ・コンピューティング・デバイス１０２は、同一又は異なるメモリ媒体技術を用いる１つ以上のコンピュータ読み取り可能媒体を有する場合がある。また、ユーザ・コンピューティング・デバイス１０２は、ＣＤ、ＤＶＤ、フラッシュ・メモリ・カード等のメモリ媒体の装填をサポートする１つ以上のドライブを有する場合がある。
【００１３】
[0019]  プロセッサ２０８は、当業者に既知のように命令を実行する。命令は、特殊用途コンピュータ、論理回路、又はハードウェア回路によって行うことができる。従って、プロセッサ２０８は、ハードウェア、ファームウェア、ソフトウェア、又はこれらの方法のいずれかの組み合わせで実施可能である。「実行」という用語は、アプリケーションを動作させるプロセス又は命令によって要求される動作を行うことである。命令は、１つ以上のプログラミング言語、スクリプト言語、アセンブリ言語等を用いて書くことができる。プロセッサ２０８は命令を実行し、これが意味するのは、その命令によって要求される動作を実行するということである。プロセッサ２０８は、入力インタフェース２００、出力インタフェース２０２、通信インタフェース２０４、コンピュータ読み取り可能媒体２０６、及びターゲット・ロケータ・アプリケーション２１０と動作的に結合して、情報を受信、送信、及び処理する。プロセッサ２０８は、永久メモリ・デバイスから１組の命令を検索し、その命令を実行可能な形態で、一般的には何らかの形態のＲＡＭである一時メモリ・デバイスにコピーすることができる。ユーザ・コンピューティング・デバイス１０２は、同一又は異なる処理技術を用いる複数のプロセッサを含む場合がある。
【００１４】
[0020]  図３を参照すると、例示的な実施形態に従った物体追跡システム１００のミドルウェア・システム１０４のブロック図が示されている。ミドルウェア・システム１０４は、入力インタフェース３００、出力インタフェース３０２、通信インタフェース３０４、コンピュータ読み取り可能媒体３０６、プロセッサ３０８、及び物体追跡アーキテクチャ３１０を含むことができる。限定されることなく、ミドルウェア・システム１０４に、異なる追加の構成要素も組み込むことができる。例えば、ミドルウェア・システム１０４は、ミドルウェア・システム１０４によって直接アクセス可能であるか、又はネットワーク１０８等のネットワークを用いてミドルウェア・システム１０４によってアクセス可能であるデータベースを含むことができる。ミドルウェア・システム１０４は、更に、ミドルウェア・システム１０４に伝達された情報を一時的に記憶するためのキャッシュを含むことも可能である。入力インタフェース３００は、入力インタフェース２００と同様の機能を提供する。出力インタフェース３０２は、出力インタフェース２０２と同様の機能を提供する。通信インタフェース３０４は、通信インタフェース２０４と同様の機能を提供する。コンピュータ読み取り可能媒体３０６は、コンピュータ読み取り可能媒体２０６と同様の機能を提供する。プロセッサ３０８は、プロセッサ２０８と同様の機能を提供する。
【００１５】
[0021]  物体追跡アーキテクチャ３１０は、ターゲット追跡アプリケーション３１２、アプリケーション・エンジン３１４、ビジネス・コンポーネント３１６、及びハードウェア抽象化層３１８を含むことができる。ターゲット追跡アプリケーション３１２は、クラウド・コンピューティング・システム１０６とユーザ・コンピューティング・デバイス１０２との間のインタフェースに関連した動作を含んで、ターゲット追跡データを維持して編成し、ターゲット位置についての要求を処理し、ターゲット追跡データを用いて要求された時刻のターゲット位置を決定する。物体追跡アーキテクチャ３１０は、署名、パスワードのサポート、物体の記述、位置の記述、ＲＦＩＤ、ＧＰＳ、ニュース・リポート、トランスポンダー検証、パスポート又は他のスキャン・データ・ポイント等の追跡可能パラメータの記述、物体の位置特定、コミュニティを介した物体の位置特定等を行うための機能を含む。コミュニティを介した物体の位置特定は、大集団の人々の能力を利用して物体の位置を特定するため、物体がどこに位置しているかを推定するために物体がどこで利用可能なデータ・ポイントを用いているかについてグループの個々人の主張を平均する。コミュニティを介した物体の位置特定には、現場に登録された物体ファインダのコミュニティ・リソースを用い、これらの物体ファインダは、応答を平均化することによって物体を見つけるためにポーリングされる。
【００１６】
[0022]  物体追跡アーキテクチャ３１０は、負荷分散サーバ、コンテンツ・サーバ、データベース・サーバ、アプリケーション・サーバ、及び登録サーバを用いることができる。アプリケーション及び登録サーバは、ユーザのための登録プロセスを容易にすると共に、ターゲット・ロケータ・アプリケーション２１０のダウンロード及びアプリケーション更新を容易にする。ミドルウェア・システム１０４は、ユーザから受信した登録情報に基づいて、１つ以上のユーザ・コンピューティング・デバイス１０２ａ、１０２ｂ、．．．、１０２ｎのための正しいソフトウェア・アプリケーションをダウンロードするように構成されている。登録プロセスの間、ユーザは、ユーザのライフスタイル上の選択及び好みの識別に役立ついくつかの欄に記入すれば良い。ユーザ関連データは、１つ以上のユーザ・コンピューティング・デバイス１０２ａ、１０２ｂ、．．．、１０２ｎから受信され、アプリケーション及びデータベース・サーバを用いてフォーマットされる。負荷分散サーバは、ユーザから送信されたデータからユーザのクエリをソートし、ライフスタイル推薦システム１００に対するユーザのアクセス及び適用性から生じる外部データ・ソースをソートする。ミドルウェア・システム１０４は、匿名データ・ポイントをクラウド・コンピューティング・システム１０６に送信する。このデータ・ポイントは、ユーザの現在の設定及び情報と共に、いずれかの新しいデータ及びクラウド・コンピューティング・システム１０６のセキュリティ仕様を構成する。
【００１７】
[0023]  図４を参照すると、例示的な実施形態に従った、物体追跡システム１００のクラウド・コンピューティング・システム１０６に関連したモジュールのブロック図が示されている。クラウド・コンピューティング・システム１０６は、インタフェース・モジュール４００、サービス・カタログ４０２、供給ツール４０４、監視及び計測モジュール４０６、システム管理モジュール４０８、及び１つ以上のサーバ１１０を含むことができる。限定されることなく、クラウド・コンピューティング・システム１０６に、異なる追加の構成要素も組み込むことができる。例えば、クラウド・コンピューティング・システム１０６は、１つ以上のデータベース１１４を更に含むことも可能である。ミドルウェア・システム１０４は、インタフェース・モジュール４００と情報のやり取りをしてサービスを要求する。サービス・カタログ４０２は、ミドルウェア・システム１０４が要求することができるサービスのリストを提供する。供給ツール４０４は、１つ以上のサーバ１１０からの計算リソースを割り当てて要求されたサービスを送出し、１つ以上のサーバ１１０において実行するために必要な画像を展開することができる。監視及び計測モジュール４０６は、１つ以上のサーバ１１０の使用を追跡して、例えば課金の目的のために、用いたリソースをあるユーザに属させることができる。システム管理モジュール４０８は、１つ以上のサーバ１１０を管理する。１つ以上のサーバ１１０は、平行に延びている格子内にあるかのように（as if in a grid running in parallel）相互接続することができる。
【００１８】
[0024]  インタフェース・モジュール４００は、サービス・カタログ４０２からのサービス選択を可能とするように構成することができる。選択されたサービスに関連した要求は、システム管理モジュール４０８に送信することができる。システム管理モジュール４０８は、サーバ１１０の１つ以上及び／又はデータベース１１４の１つ以上等、利用可能なリソースを識別する。システム管理モジュール４０８は、供給ツール４０４を呼び出して、識別したリソースを割り当てる。供給ツール４０４は、要求されたスタック又はウェブ・アプリケーションも展開することができる。
【００１９】
[0025]  図５を参照すると、クラウド・コンピューティング・システム１０６によって実行される例示的な動作が示されている。実施形態に応じて、動作を追加したり、削減したり、又は異なる動作を実行したりする場合もある。図５の動作の提示の順序は限定を意図したものではない。動作５００において、１つ以上のターゲット追跡アプリケーションに関連した追跡アプリケーションを受信する。例えば、ターゲット追跡アプリケーションは、以前に記憶した情報及び／又は以前に計算した情報及び／又は現在のターゲット・データに基づいてターゲット位置を求めるための命令を含む。ターゲット追跡アプリケーションは、テキスト形態、オブジェクト・コード形態、又は実行可能フォーマットとすることができる。動作５０１において、受信された１つ以上のターゲット追跡アプリケーションを、クラウド・コンピューティング・システム１０６に記憶する。動作５０２において、ターゲット・データが受信されると、動作５０４において、受信したターゲット・データをクラウド・コンピューティング・システム１０６に記憶する。動作５０２においてターゲット・データが受信されていない場合、動作５０６において処理を継続する。動作５０６において、ターゲット位置に対する要求が受信されない場合、動作５０２において処理を継続する。
【００２０】
[0026]  動作５０６においてターゲット位置に対する要求が受信されると、この要求を処理して、要求に応答するための情報を識別する。例示的な実施形態において、要求は、１つ以上のターゲット追跡アプリケーションのうちターゲット位置を求める際に用いられるターゲット追跡アプリケーションを識別する追跡方法識別子又は複数の識別子を含む。要求は、更に、ターゲットについて記憶されたターゲット・データを識別するために用いられるターゲット識別子及び位置要求に関連した時刻を含む。例えば、時刻は、現在の時刻、将来の時刻、又は、ターゲット位置を求める過去の時刻とすることができる。動作５０８において、このターゲット追跡アプリケーションを識別する。動作５１０において、ターゲット識別子に関連したターゲット・データを識別する。動作５１２において、クラウド・コンピューティング・システム１０６において、識別したターゲット・データを用いて、識別したターゲット追跡アプリケーションを実行することによって、ターゲット位置を求める。動作５１４において、求めたターゲット位置をミドルウェア・システム１０４に送信する。処理は動作５０２において継続して、ターゲット・データを引き続き受信及び記憶し、ミドルウェア・システム１０４からのターゲット位置の要求に応答する。
【００２１】
[0027]  図６を参照すると、ユーザ・コンピューティング・デバイス１０２によって実行される例示的な動作が示されている。実施形態に応じて、動作を追加したり、削減したり、又は異なる動作を実行したりする場合もある。図６の動作の提示の順序は限定を意図したものではない。動作６００において、ターゲットの位置を特定するための第１の要求を受信する。この要求には、位置を特定するターゲットを識別する識別子が関連付けられている。動作６０２において、第１の要求をミドルウェア・システム１０４に転送するか、又は、第１の要求に基づいて第２の要求を生成してミドルウェア・システム１０４に送信する。動作６０４において、ミドルウェア・システム１０４から、ターゲットのための位置を識別する位置情報を受信する。動作６０６において、この位置情報をユーザ・コンピューティング・デバイス１０２に提示する。例えば、出力インタフェース２０２を用いてターゲットの位置を示すマップをユーザに表示することができ、出力インタフェース２０２を用いて座標をユーザに提示することができ、出力インタフェース２０２を用いてアドレスをユーザに提示することができる等である。
【００２２】
[0028]  図７を参照すると、ミドルウェア・システム１０４によって実行される例示的な動作が示されている。実施形態に応じて、動作を追加したり、削減したり、又は異なる動作を実行したりする場合もある。図７の動作の提示の順序は限定を意図したものではない。ミドルウェア・システム１０４は、アプリケーション・プログラミング・インタフェースを用いて、例えば、オペレーティング・システムの互換性、表示機能、媒体再生機能等に関連付けて、読み取り可能なデータをコンピューティング・デバイス１０２に戻すためのパラメータを定義する。動作７００において、１つ以上のターゲット追跡アプリケーションをクラウド・コンピューティング・システム１０６に送信する。動作７０１において、ターゲット位置に対する第１の要求が受信されない場合、動作７１０において処理を継続する。動作７０１において、ユーザ・コンピューティング・デバイス１０２からターゲット位置に対する第１の要求を受信した場合、この第１の要求を処理する。例示的な実施形態においては、第１の要求は、ユーザによって選択されたターゲットを識別するターゲット識別子を含む。動作７０２において、１つ以上のターゲット追跡アプリケーションの１つ以上の追跡方法を選択する。例えば、ターゲット及び利用可能な方法に関連した全ての利用可能なデータの種類に基づいて、論理除去（logical elimination）のプロセスを用いることができる。例えば、レーダー追跡方法は利用可能でない場合がある。なぜなら、レーダーは、レーダーの有効範囲の制約、レーダーの感度等のために、ターゲットを検出することができないからである。動作７０４において、ターゲット位置に対する要求をクラウド・コンピューティング・システム１０６のインタフェース・モジュール４００に送信する。例示的な実施形態においては、要求は、選択した追跡方法（複数の方法）を識別する追跡方法識別子又は複数の識別子、ターゲット識別子、及び時刻を含む。動作７０６において、クラウド・コンピューティング・システム１０６のインタフェース・モジュール４００から、ターゲット位置情報を受信する。動作７０８において、ターゲット位置情報をユーザ・コンピューティング・デバイス１０２に送信する。
【００２３】
[0029]  動作７１０においてターゲット・データが受信されない場合、処理は動作７０１において継続して、ターゲット・データを引き続き受信及び記憶し、ターゲット位置に対する要求に応答する。動作７１０においてターゲット・データが受信されると、処理は動作７１２において継続する。動作７１２において、受信したターゲット・データを、クラウド・コンピューティング・システム１０６のインタフェース・モジュール４００に送信して、ターゲット・データを記憶する。処理は動作７０１において継続する。
【００２４】
[0030]  システムの態様のハードウェア実装及びソフトウェア実装の間にはほとんど区別がない。すなわち、ハードウェア又はソフトウェアの使用は、一般に（ではあるが常にではない。ある状況においてはハードウェア及びソフトウェア間の選択が重要となる場合がある）、コスト対効率のトレードオフとなる設計上の選択である。ここに記載したプロセス及び／又はシステム及び／又は他の技術を実行することができる様々な手段があり（例えばハードウェア、ソフトウェア、及び／又はファームウェア）、好適な手段は、プロセス及び／又はシステム及び／又は他の技術を展開する状況によって様々である。例えば、速度及び精度が最も重要であると実装者によって決定された場合、実装者は主としてハードウェア及び／又はファームウェアの手段を選択することができる。柔軟性が最も重要である場合、実装者は主としてソフトウェアによる実装を選択することができる。又は、代替的に、実装者は、ハードウェア、ソフトウェア、及び／又はファームウェアの何らかの組み合わせを選択することも可能である。
【００２５】
[0031]  前述の詳細な説明では、ブロック図、フローチャート、及び／又は例を用いることによって、デバイス及び／又はプロセスの様々な実施形態について述べた。かかるブロック図、フローチャート、及び／又は例が、１つ以上の機能及び／又は動作を含む限り、かかるブロック図、フローチャート、又は例における各機能及び／又は動作を、個別に及び／又は集合的に、多種多様なハードウェア、ソフトウェア、ファームウェア、又はそれらの実質的にあらゆる組み合わせによって実装可能であることは、当業者には理解されよう。一実施形態においては、ここに記載した主題のいくつかの部分を、特定用途向け集積回路、ＦＰＧＡ（Field Programmable Gate Array）、デジタル信号プロセッサ、又は他の集積形式によって実装することができる。しかしながら、ここに開示した実施形態のいくつかの態様は、全体的に又は部分的に、１つ以上のコンピュータ上で実行する１つ以上のコンピュータ・プログラムとして（例えば１つ以上のコンピュータ・システム上で実行する１つ以上のプログラムとして）、１つ以上のプロセッサ上で実行する１つ以上のプログラムとして（例えば１つ以上のマイクロプロセッサ上で実行する１つ以上のプログラムとして）、ファームウェアとして、又はそれらの実質的にあらゆる組み合わせとして、集積回路に同等に実装可能であること、更に、ソフトウェア及び／又はファームウェアのために回路を設計すること及び／又はコードを書くことは、本開示に鑑みて、当業者の技術の範囲内であることは、当業者には認められよう。更に、ここに記載した主題の機構は、様々な形態でプログラム製品として分散させることができること、更に、ここに記載した主題の例示的な実施形態は、この分散を実際に行うために用いられる信号記録媒体（signal bearing medium）の特定の種類に無関係に適用されることは、当業者には認められよう。信号記録媒体の例は、限定ではないが以下を含む。すなわち、フロッピ・ディスク、ハード・ディスク・ドライブ、ＣＤ、ＤＶＤ、デジタル・テープ、コンピュータ・メモリ等の記録可能型の媒体、ならびに、デジタル及び／又はアナログ通信媒体（例えば光ファイバ・ケーブル、導波路、有線通信リンク、無線通信リンク等）等の伝送型の媒体である。
【００２６】
[0032]  ここに述べた方法でデバイス及び／又はプロセスを記載し、その後でエンジニアリング的な手法を用いてかかる記載したデバイス及び／又はプロセスを統合してデータ処理システムにすることが、当技術内の一般的なことであることは、当業者には認められよう。すなわち、ここに記載したデバイス及び／又はプロセスの少なくとも一部を、妥当な量の実験によって、データ処理システムに統合することができる。典型的なデータ処理システムは、一般に、システム・ユニット筐体、ビデオ・ディスプレイ・デバイス、揮発性及び不揮発性メモリ等のメモリ、マイクロプロセッサ及びデジタル信号プロセッサ等のプロセッサ、オペレーティング・システム、ドライバ、グラフィカル・ユーザ・インタフェースや、アプリケーション・プログラム等の計算エンティティ、タッチ・パッド又はスクリーン等の１つ以上のインタラクション・デバイス、及び／又はフィードバック・ループ及び制御モータを含む制御システム（例えば位置及び／又は速度を検知するためのフィードバック、構成要素及び／又は分量を移動させる及び／又は調節するための制御モータ）の１つ以上を含むことは、当業者には認められよう。データ・コンピューティング／通信及び／又はネットワーク・コンピューティング／通信システムにおいて通常見出されるもの等、いずれかの適切な市販の構成要素を用いて、典型的なデータ処理システムを実装することができる。
【００２７】
[0033]  ここに記載した主題は、時に、異なる他の構成要素内に含まれた、又は異なる他の構成要素と接続された、異なる構成要素を示す。かかる図示したアーキテクチャは単に例示したに過ぎず、実際、同一の機能を達成する他の多くのアーキテクチャを実施可能であることは理解されよう。概念上の意味において、同一の機能を達成するための構成要素のいかなる配置も、所望の機能を達成するように効果的に「関連付けられている」。従って、特定の機能を達成するためにここで組み合わせたいかなる２つの構成要素も、アーキテクチャ又は介在する構成要素には無関係に、所望の機能を達成するように相互に「関連付けられている」と考えることができる。同様に、そのように関連付けられたいかなる２つの構成要素も、所望の機能を達成するために相互に「動作的に接続」又は「動作的に結合」していると考えることができ、そのように関連付けることができるいかなる２つの構成要素も、所望の機能を達成するために相互に「動作的に結合可能である」と考えることができる。動作的に結合可能な具体例は、構成要素と物理的にかみ合わせ可能であること及び／又は物理的に情報のやり取りをさせること及び／又は構成要素と無線で情報のやり取り可能とすること及び／又は無線で情報のやり取りすること及び／又は構成要素と論理的に情報をやり取りすること及び／又は論理的に情報をやり取り可能とすることを含むが、これらには限定されない。
【００２８】
[0034]  実質的に全ての複数形及び／又は単数形の用語をここで用いることに関して、当業者は、文脈及び／又は用途に応じて適宜、複数形から単数形及び／又は単数形から複数形に変換を行うことができる。ここでは明確さのため、様々な単数形／複数形の順列を明確に述べることができる。
【００２９】
[0035]  一般的に、ここで用いた、特に特許請求の範囲（例えば特許請求の範囲の本文）において用いた用語は、概して、「オープン」な用語であることが意図されることは、当業者には理解されよう（例えば、「〜を含んでいる」という用語は「〜を含んでいるがこれに限定されない」と解釈するものであり、「〜を有している」という用語は「少なくとも〜を有している」と解釈するものであり、「〜を含む」という用語は「〜を含むがこれに限定されない」と解釈するものである等）。更に、導入された請求項の記載(recitation)に具体的な数が意図される場合、かかる意図は特許請求の範囲において明示的に述べられる。かかる説明がない場合にはかかる意図が存在しないことは、当業者には理解されよう。例えば、理解を助けるために、特許請求の範囲は、請求項の記載の導入において、「少なくとも１つの」及び「１つ以上の」という前置きの句の使用を含む場合がある。しかしながら、かかる句の使用は、不定冠詞「ａ」又は「ａｎ」が請求項の記載に導入された場合に、かかる記載を含むいずれかの特定の請求項が、記載されたものを１つしか含まない発明に限定されることを意味するように解釈されるものではない。これは、たとえ同一の請求項が「１つ以上の」又は「少なくとも１つの」という前置きの句及び「ａ」又は「ａｎ」等の不定冠詞を含む場合であっても当てはまる（例えば「ａ」及び／又は「ａｎ」は、通常、「少なくとも１つの」又は「１つ以上の」を意味するものと解釈される）。同じことが、請求項の記載の導入に定冠詞を用いる場合にも当てはまる。更に、導入された請求項の記載に具体的な数が明示的に記載された場合であっても、かかる記載が通常は、少なくとも“記載された数”を意味するように解釈されることは、当業者には認められよう（例えば、他の修飾語がない「２つの“記載対象”」という直接的な記載は通常、少なくとも２つの“記載対象”又は２つ以上の“記載対象”を意味する）。更に、「Ａ、Ｂ、及びＣ等の少なくとも１つ」に似た表記が用いられる場合、一般に、かかる構造は、当業者がこの表記を理解する意味として意図される（例えば、「Ａ、Ｂ、及びＣの少なくとも１つを有するシステム」は、Ａのみ、Ｂのみ、Ｃのみ、Ａ及びＢ、Ａ及びＣ、Ｂ及びＣ、及び／又はＡ、Ｂ、Ｃを有する等のシステムを含むがこれに限定されるわけではない）。「Ａ、Ｂ、又はＣ等の少なくとも１つ」に似た表記が用いられる場合、一般に、かかる構造は、当業者がこの表記を理解する意味として意図される（例えば、「Ａ、Ｂ、又はＣの少なくとも１つを有するシステム」は、Ａのみ、Ｂのみ、Ｃのみ、Ａ及びＢ、Ａ及びＣ、Ｂ及びＣ、及び／又はＡ、Ｂ、Ｃを有する等のシステムを含むがこれに限定されるわけではない）。更に、２つ以上の代替的な用語を表す実質的に全ての選言的な語及び／又は句は、説明、特許請求の範囲、又は図面のいずれにおいても、それらの用語の１つ、いずれか、又は双方を含む可能性を想定するように理解すべきであることは、当業者には理解されよう。例えば、「Ａ又はＢ」という句は、「Ａ」又は「Ｂ」又は「Ａ及びＢ」という可能性を含むように理解される。
【００３０】
[0036]  様々な態様及び実施形態をここに開示したが、当業者には他の態様及び実施形態が明らかであろう。ここに開示した様々な態様及び実施形態は例示の目的のためのものであり、限定として意図されるものではなく、真の範囲及び精神は特許請求の範囲によって示される。
【図１】
2010055588.tif 000003
【図２】
2010055588.tif 000004
【図３】
2010055588.tif 000005
【図４】
2010055588.tif 000006
【図５】
2010055588.tif 000007
【図６】
2010055588.tif 000008
【図７】
2010055588.tif 000009
【外国語明細書】
2010055588000001.pdf